(57)【要約】      （修正有）【課題】小さいものを確実に掴むことができるようにする箸ホルダを提供する。【解決手段】弾性体からなるチューブを湾曲させた本体１と、湾曲させた本体の湾曲部２の両方にそれぞれに設けたホルダ部３と、湾曲部とホルダ部との境付近において本体の両側を可動状態で貫通させた軸部４とを備える。竹箸ＴＢを割ってその端部をホルダ部の入口に差し込む。入口の内形状３１は一般的な寸法の竹箸の端部が締りバメ状態で挿入保持可能な状態となっており、竹箸はしっかりとホルダ部に保持される。内形状が小さい部分には、竹箸の端部が入らないことから、竹箸をホルダに挿し込む量は、左右で殆ど同じとなる。竹箸ＴＢの先端の位置が一致するので、小さいものを確実に掴むことができる。【選択図】図５
0003200056.tif 000002
【実用新案登録請求の範囲】
【請求項１】
弾性体からなるチューブを湾曲させた本体と、前記湾曲させた本体の湾曲部の両方にそれぞれに設けたホルダ部と、前記湾曲部と前記ホルダ部との境付近において当該本体の両側を可動状態で貫通させた軸部とを備えたことを特徴とする箸ホルダ。
【請求項２】
前記ホルダ部は、端部の入口付近の内形状がその他の部分より拡張していることを特徴とする請求項１に記載の箸ホルダ。
【請求項３】
前記軸部は、一端に軸径よりも大径となる固定部を有すると共に、軸の他端に軸上を移動して所望位置で固定可能な可動固定部を有することを特徴とする請求項１又は２に記載の箸ホルダ。
【請求項４】
更に、飾り部を設けたことを特徴とする請求項１〜３のいずれか一つに記載の箸ホルダ。
【請求項５】
更に、箸ホルダのいずれかの部分に絵、色、柄又は文字を施したことを特徴とする請求項１〜３のいずれか一つに記載の箸ホルダ。
【考案の詳細な説明】
【技術分野】
【０００１】
本考案は、竹箸や割り箸を挿し込んで簡単に使えるようにした箸ホルダに関するものである。
【背景技術】
【０００２】
従来から特許文献１に記載されているような箸用の蛇腹部品が知られている。この蛇腹部品では、内部が空洞の円筒状をした弾性部材を湾曲させて、蛇腹部材の端縁から箸の端部を挿し込む。これにより、箸が当該蛇腹部材を中心としてトングのように動作し、箸を上手に使えるようになる。
【先行技術文献】
【特許文献】
【０００３】
【特許文献１】特開平１１−１９６９９６号公報
【考案の概要】
【考案が解決しようとする課題】
【０００４】
しかしながら、上記従来の箸用の蛇腹部品では、蛇腹部品により箸の端部をそれぞれ固定しているものの蛇腹部品そのものが自由に変形するため、箸先を上手く合わせようとしても位置がずれてしまい、小さいものを確実に掴めないという問題点があった。本考案は、係る問題点を解決するためになされたものである。
【課題を解決するための手段】
【０００５】
本考案に係る箸ホルダは、弾性体からなるチューブを湾曲させた本体と、前記湾曲させた本体の湾曲部の両方にそれぞれに設けたホルダ部と、前記湾曲部と前記ホルダ部との境付近において当該本体の両側を可動状態で貫通させた軸部とを備えたことを特徴とする。
【０００６】
また、前記ホルダ部は、端部の入口付近の内形状がその他の部分より拡張したものとするのが好ましい。更に前記軸部は、一端に軸径よりも大径となる固定部を有すると共に、軸の他端に軸上を移動して所望位置で固定可能な可動固定部を有するようにするのが好ましい。
【０００７】
更に、飾り部を設け、又は、箸ホルダのいずれかの部分に絵、色、柄又は文字を施しても良い。
【図面の簡単な説明】
【０００８】
【図１】この考案の実施の形態１に係る箸ホルダを示す平面図である。
【図２】図１に示した箸ホルダを示す一部断面図である。
【図３】図１に示した箸ホルダの使用状態を示す説明図である。
【図４】図１に示した箸ホルダの使用状態を示す説明図である。
【図５】図１に示した箸ホルダの使用例を示す説明図である。
【図６】箸の先端がフォーク状になっているものを示す説明図である。
【図７】図６に示した箸を本考案の箸ホルダにより使用する場合の例を示す説明図である。
【図８】箸の先端がスプーン状になっているものを示す説明図である
【図９】この考案の実施の形態２に係る箸ホルダを示す平面図である。
【図１０】軸部による箸ホルダの開き角度の規制状態を変更した例を示す説明図である。
【図１１】図９の状態で箸をホルダ部に保持した状態を示す説明図である。
【図１２】図１０の状態で箸をホルダ部に保持した状態を示す説明図である。
【図１３】この考案の実施の形態３に係る箸ホルダを示す説明図である。
【考案を実施するための形態】
【０００９】
（実施の形態１）
図１は、この考案の実施の形態１に係る箸ホルダを示す平面図である。図２は、図１に示した箸ホルダを示す一部断面図である。この箸ホルダ１００は、ウレタンチューブを湾曲させた本体１と、湾曲させた本体１の当該湾曲部２の両方にそれぞれ設けたホルダ部３と、前記本体１の湾曲部２とホルダ部３との境付近において本体１を可動状態で貫通させた軸部４とから構成される。
【００１０】
ウレタンチューブは、湾曲部２は折り曲げるだけで良い。また、必要があれば加熱した状態で湾曲させることで復元力を調整可能である。この湾曲の度合いにより箸ホルダ１００の操作力が異なるものとなる。湾曲部２は、綺麗に湾曲させても良いし、折れ曲がったような湾曲の状態でも良い。これらは本出願において湾曲したものとして観念される。換言すれば、湾曲とは、チューブを曲げた状態をいい、曲げた結果緩やかな円弧を形成して湾曲しても折れ曲がっても所定の復元力が得られるので、それで機能を果たすものとなる。
【００１１】
ホルダ部３は、前記湾曲部２の先にそれぞれ成形されたものであり、竹箸ＴＢと割り箸ＷＢとの両方を保持できる構造となる。竹箸ＴＢの端部（食材を掴む端部とは反対側の端部であり、割る前において２本が結合している端部である）は、割り箸ＷＢのそれに比べて大きいものとなる。このため、ホルダ部３の端部の内形状３１を竹箸ＴＢに合わせると割り箸ＷＢを挿し込むと隙間ができすぎて保持が不十分になる。一方で割り箸ＷＢに合わせると竹箸ＴＢが入らなくなる。このため、この箸ホルダ１００では、ホルダ部３の入口３ａの内形状３１を大きくし、その奥部３ｂの内形状を小さくしている。即ち、入口３ａの内形状３１は、竹箸ＴＢの端部が締りバメ状態で挿入可能な寸法に形成されており、その奥部３ｂの内形状３２は、割り箸ＷＢの端部が締りバメ状態で挿入可能な寸法に形成されている。
【００１２】
竹箸ＴＢを保持する部分の長さは、約１０ｍｍから２０ｍｍ程度が好ましく、押し込むことで端部の入口３ａ付近が弾性変形してその他の部分より拡張して当該竹箸ＴＢを保持する。この入口３ａ付近は加熱しながら内形状３１を拡張することで成形する。また、割り箸ＷＢの端部を保持する部分（３ｂ）の長さも同様に１０ｍｍ〜２０ｍｍ程度が好ましく、終端は、前記軸部４が本体１内部を貫通しているので、当該軸部４に干渉して挿し込み長さが規制されることになる。
【００１３】
軸部４は、ホルダ部３の湾曲させた状態からの復元力による開きを規制する。軸部４は、両端の軸径よりも大径となる固定部６を有する。軸部４は、本体１の湾曲部２とホルダ部３との境付近を一方側のホルダ部３側から他方側のホルダ部３側に貫通している。軸部４は、樹脂製、木製、金属製のいずれでも良く、好ましくは軸部４の表面はなめらかな面とし、本体１に形成した貫通孔７に対して滑りが良い状態とする。これにより、軸部４が本体１に対して可動状態となり、箸ホルダ１００の開閉動作がスムーズになる。
【００１４】
また、固定部６は貫通孔７の径より大径であり、当該固定部６によりホルダ部３の湾曲させた状態からの復元力による開きを規制する。即ち、固定部６と固定部６との間隔により規制される量が決定され、間隔が広いとホルダ部３とホルダ部３とが開いて大きな動作となり、間隔が小さいとホルダ部３とホルダ部３とが狭く維持されて小さい動作となる。
【００１５】
固定部６の設ける位置は、竹箸ＴＢと割り箸ＷＢを挿し込んで十分に保持できるだけの距離をホルダ部３に与えるように設定する。
【００１６】
なお、前記固定部６は、同図ではナット形状の大径部分としたが、Ｌ字形状に折れ曲がったものでも良いし、球形状であっても良い。要するに、貫通孔７に係止して位置を規制できれば良い。例えば、ゴルフのティー等も使用できる。また、固定部６と軸との素材を異なるものとしても良い。
【００１７】
図３及び図４は、この箸ホルダの使用状態を示す説明図である。図３に示したのは、箸ホルダ１００に竹箸ＴＢを取り付けた状態である。竹箸ＴＢを割ってその端部をホルダ部３の入口３ａに差し込む。入口３ａの内形状は一般的な寸法の竹箸ＴＢの端部が締りバメ状態で挿入保持可能な状態となっているので、竹箸ＴＢはしっかりとホルダ部３に保持される。内形状３２が小さい部分には、竹箸ＴＢの端部が入らないか極めて困難であることから、竹箸ＴＢをホルダ部３に挿し込む量は、左右で殆ど同じとなる。このため、竹箸ＴＢの先端の位置が一致するので、使用し易いものとなる。
【００１８】
図４に示したのは、箸ホルダ１００に割り箸ＷＢを取り付けた状態である。割り箸ＷＢを割ってその端部をホルダ部３の入口３ａに差し込むと、入口３ａの内形状３１は一般的な割り箸ＷＢよりも大きく、換言すれば竹箸ＴＢを保持するのに適した大きさとなっているので、割り箸ＷＢの先端はそのまま奥に挿し込まれて内形状３２が小さい部分において締った状態で当該ホルダ部３に保持される。更に割り箸ＷＢの端部を奥に挿し込むと軸部４が貫通していることから、当該軸部４に干渉して止まり、それ以上は奥に入らない。このため、箸の位置を固定できるので、両方のホルダ部３に割り箸ＷＢを挿し込む量を同じに保つことができる。
【００１９】
また、左右のホルダ部３に竹箸ＴＢ又は割り箸ＷＢを保持すると、全体がトングのような恰好となり、箸ホルダ１００の湾曲部２を略中心として開閉動作が可能となる。また、湾曲部２の復元力により竹箸ＴＢ又は割り箸ＷＢは常に外側に向かって開いた状態を保持するので、手を離している状態では、竹箸ＴＢ又は割り箸ＷＢは開いた状態である。そして、竹箸ＴＢ又は割り箸ＷＢを持って閉じるように動作させると、湾曲部２を略中心として全体が閉じる。このとき、湾曲部２により左右の竹箸ＴＢ又は割り箸ＷＢの略回転中心が同じとなり、更に軸部４の働きにより、ホルダ部３が軸部４にガイドされながら決まった方向に動作することになるので、竹箸ＴＢ又は割り箸ＷＢの先端は、閉じた状態で位置が一致するものとなる。
【００２０】
図５は、この箸ホルダの使用例を示す説明図である。箸ホルダ１００を用いることで竹箸ＴＢや割り箸ＷＢを正確に動かしてその先端で物を確実に掴むことができる。同図に示すように、箸の先端がきっちりと一致して閉じるようにできるので、小豆やご飯粒のような小さなものＢについても、確実に挟んで掴むことができる。このため、箸の使用に不慣れな箸文化圏ではない国の者や、障害者、要介護の高齢者も簡単に箸を使用できるようになる。
【００２１】
更に、竹箸ＴＢと割り箸ＷＢのように、大きさ若しくは太さがことなる箸を両方とも保持可能であるので、汎用性が高い。なお、金属製の箸、樹脂製の箸でも同様に使用可能である。また、麺類についても正確な箸の動作が可能であることからしっかりと麺を挟むことができるので、麺類の扱いが苦手な者でも簡単に麺類を食べることができる。
【００２２】
なお、上記箸ホルダ１００は、全体がウレタンチューブにより構成されているが、弾性力を有する管であればこれに限定されない。塩ビのチューブでも良いし、シリコンチューブであっても良い。また、箸に代えて先端がフォーク状、スプーン状となっている箸を用いることもできる。なお、これらはフォークやスプーンとも観念できるが、２本一組であることから、本願では箸として観念するものとする。
【００２３】
図６は、箸の先端がフォーク状になっているものを示す説明図である。図７は、図６に示した箸を本考案の箸ホルダにより使用する場合の例を示す説明図である。この箸Ｔ３は、図６（ａ）に示すように、一方の先端が３つ爪２０１のフォーク状となっており、図６（ｂ）に示すように、他方の先端が２つ爪２０２のフォーク状となっている。この箸Ｔ３の端部を図３のようにして箸ホルダ１００に装着し、図５に示したように箸を用いる。
【００２４】
この箸Ｔ３を箸ホルダ１００に装着した状態で箸Ｔ３の先端と閉じると、図７（ａ）に示すように、一方の箸Ｔ３の先端の３つ爪２０１の間に２つ爪２０２が噛み込むように入る。このため、図７（ｂ）に示すように、箸Ｔ３の先端の間で麺Ｍを挟むようにすると、麺Ｍが爪２０１，２０２の間で噛み込むようにして挟み込まれ、しっかりと保持される。麺Ｍをしっかり掴むことができれば、麺Ｍをどんぶり内に落として汁が跳ねたりするのを防止できる。特に、カレーうどんは、はねたときに衣類に黄色いシミを付けるので、カレーうどんを掴むときに有用と言える。
【００２５】
また、図８に示すように、箸Ｔ４の先端をスプーン状としても良い。同図（ａ）には、箸の先端のスプーン２０４の例を示してある。この例では、スプーン２０４は長細い形状のものとなる。同図（ｂ）には、箸Ｔ４の先端を閉じた場合のスプーン２０４の合わせ状態を示してある。このようにスプーン２０４により様々なものを掴むことが可能となる。
【００２６】
また、箸ホルダ１００の本体１は、所定の絵、色、柄又は文字等のデザイン４０を施したものとしても良い。色やデザインを施すことで箸を使用しているユーザを特定できるので、多人数で食事する際や家族でそれぞれの箸を使用しているときに便利である。
【００２７】
（実施の形態２）
図９は、この考案の実施の形態２に係る箸ホルダを示す平面図である。この箸ホルダ２００は、実施の形態１に係る箸ホルダ１００と略同一の構成であるが、軸部２５４による本体１の開き角度を調整可能とした点に特徴がある。その他の構成は実施の形態１と同様であるため、同一構成要素には同一符号を付して説明を省略する。
【００２８】
軸部２５４は、軸の一端に設けた固定部２５６（ボルトの頭のような形状）と、軸の他端に形成したネジ部２５７と、当該ネジ部２５７に螺合するナット部２５８とから構成される。ナット部２５８は、ネジ部２５７が形成されている部分において自由に位置を変更できる。ナット部２５８は単独で用いても良いし、公知のまわり止めの機能を持たせても良い。ナット部２５８は、固定部２５６として機能するので、ナット部２５８と固定部２５６との間隔により本体１の開き角度が規制される。これらネジ部２５７とナット部２５８とを可動固定部２５９と観念する。可動固定部２５９は、上記ネジ部２５７とナット部２５８の他、軸上を移動して所望位置で固定可能な構造を含むものである。
【００２９】
図１０は、軸部による箸ホルダの開き角度の規制状態を変更した例を示す説明図である。軸部２５４のナット部２５８を回して固定部２５６と当該ナット部２５８との間隔を狭くすると、図９の例に比べて、本体１の角度が狭くなって箸Ｔ５の開く角度が狭くなる。図１１には、図９の状態で箸をホルダ部に保持した状態を示し、図１２には、図１０の状態で箸をホルダ部に保持した状態を示す。このように、前記間隔を狭くすることで、少ない動作で箸Ｔ５の先端を合わせることができるようになるので、細かい動作を行う場合に便利である。また、箸Ｔ５が開いた状態で手も持ちやすくなるので、手の小さい女性や子供に適したものとなる。
【００３０】
なお、軸部４は、ステンレス製でも良いし、樹脂製でも良い。なお、軸部４の端には、前記ナット部２５８が外れないようにネジ山をつぶした部分を形成しても良いし、前記固定部６と同様の構造をしたナット止めのための固定部を設けても良い（いずれも図示省略）。
【００３１】
（実施の形態３）
図１３は、この考案の実施の形態３に係る箸ホルダを示す説明図であり、（ａ）は平面図、（ｂ）は側面図を示す。この箸ホルダ３００は、実施の形態１に示した箸ホルダ１００と同一の構成であるが、飾り部３０１が設けられた点に特徴がある。飾り部３０１は、例えば円形のボードの表面に所望のデザインが施されたものであり、裏面には箸ホルダ３００の本体１に装着する環状部３０２が設けられる。環状部３０２は本体１に巻き付いて固定される。当該飾り部３０１は、着脱自在にしても良い。
【００３２】
飾り部３０１を設けることで、箸を使用しているユーザを特定できる。このため、多人数で食事をする際や家族でそれぞれ箸を使用する際に便利である。
【符号の説明】
【００３３】
１００  箸ホルダ
１  本体
２  湾曲部
３  ホルダ部
４  軸部
６  固定部
７  貫通孔
【図１】
0003200056.tif 000003
【図２】
0003200056.tif 000004
【図３】
0003200056.tif 000005
【図４】
0003200056.tif 000006
【図５】
0003200056.tif 000007
【図６】
0003200056.tif 000008
【図７】
0003200056.tif 000009
【図８】
0003200056.tif 000010
【図９】
0003200056.tif 000011
【図１０】
0003200056.tif 000012
【図１１】
0003200056.tif 000013
【図１２】
0003200056.tif 000014
【図１３】
0003200056.tif 000015